(57)【要約】【課題】  衝撃等の理由で導光板が脱落しても蛍光管を破損することのない液晶表示装置のバックライトユニットを提供する。【解決手段】  液晶表示モジュールＬＣＤの下方に配設されたバックライトユニットであって、ＬＣＤへ入射する光の光源である蛍光管２と、蛍光管２を収納するランプリフレクタ３と、蛍光管２から発生した線状の光と該光がランプリフレクタ３で反射した光とを面状の光に変換してＬＣＤへ入射させる表面が略四角形の導光板１とを収納するモールドフレームを備え、ランプリフレクタ３は、金属からなり、蛍光管２に対向する導光板１の側面の両端部に面する第１部分３１に、第１部分３１を除く導光板１の側面に面する第２部分３２より、導光板１に接近した位置にストッパ３５が設けられている。【選択図】      図５
2006276685.tif 000002
【特許請求の範囲】
【請求項１】
液晶表示モジュールの下方に配設されたバックライトユニットであって、前記液晶表示モジュールへ入射する光の光源である蛍光管と、該蛍光管を収納するランプリフレクタと、該蛍光管から発生した線状の光と該光が前記ランプリフレクタで反射した光とを面状の光に変換して前記液晶表示モジュールへ入射させる表面が略四角形の導光板と、を収納するケースを備え、
前記ランプリフレクタは、金属からなり、前記蛍光管に対向する前記導光板の側面の両端部に面する第１部分に、該第１部分を除く該導光板の側面に面する第２部分より、該導光板に接近した位置にストッパが設けられている、
ことを特徴とする液晶表示モジュールのバックライトユニット。
【請求項２】
前記ランプリフレクタは、前記蛍光管の両端を把持する部分に前記ストッパが設けられている請求項１に記載の液晶表示モジュールのバックライトユニット。
【請求項３】
前記導光板は、前記ケースとの間に接着剤を付さずに該ケースに固定される、請求項２または３に記載の液晶表示モジュールのバックライトユニット。
【発明の詳細な説明】
【技術分野】
【０００１】
本発明はノートパソコン（ＰＣ）のような携帯パソコンに組込まれる液晶表示モジュールのバックライトユニットに関する。
【背景技術】
【０００２】
昨今、ノート型パーソナルコンピュータ（以下、ノートパソコンと記す）に組込まれる液晶表示（ＬＣＤ）モジュールは、動画表示やデジタルカメラで撮影した画像データの表示を閲覧するため高輝度で表示したいという要求が強くなってきている。
【０００３】
図１は従来技術による単純導光板方式バックライトユニットの斜視図である。図示のバックライトユニット１００は、プリズムを含まない導光板１０１、光源としての蛍光（ＦＬ）管１０２、ＦＬ管１０２を収納しＦＬ管１０２から発する光を反射させて導光板１０１に向けるランプリフレクタ１０３、ランプリフレクタ１０３を収納するランプホルダ１０４、導光板１０１とランプホルダ１０４を収納するモールドフレーム１０５、および下拡散シート１０６、導光板１０１表面の法線方向に偏角させる屈折偏角型の第１プリズムシート１０７、第２プリズムシート１０８および上拡散シート１０９からなる光学シート１２０を有する。従来技術による単純導光板方式のバックライトユニット１００においては、導光板１０１をモールドフレーム１０５内に収納し嵌合させて固定するためランプホルダ１０４を介してモールドフレーム１０５に面する導光板１０１の下側表面積が光学シート１２０およびＬＣＤ１３０側に面する導光板１０１の上側表面積より大きくなるように導光板１０１の下側の周囲に皿ネジのような出っ張りをつけた構成にしてある。
【０００４】
さらに、特にモバイル用途のノートパソコンは薄型軽量化の要求も増えてきており、これらの要求に応えるためＬＣＤモジュールの光源としてプリズム導光板方式のバックライトユニットが採用されるようになって来た。
【０００５】
図２は従来技術によるプリズム導光板方式バックライトユニットの斜視図である。図示のバックライトユニット２００は、プリズム機能を有する導光板２０１、ＦＬ管２０２、ランプリフレクタ２０３、ランプホルダ２０４、モールドフレーム２０５およびプリズムシート２０６と拡散シート２０７とからなる光学シート２２０を有する。光学シート２２０の導光板２０１反対側にはＬＣＤ２３０が配置されている。プリズム導光板方式バックライトユニットは、単純導光板方式バックライトユニットと比べて、輝度が１．２倍向上し、かつ光学シートを２枚削除できるため薄型軽量化にも寄与できるが、単純導光板方式バックライトユニットと比べて使用する導光板自体にプリズム機能を付加しているため固定方法に制限がある。
【０００６】
プリズム導光板方式のバックライトユニット２００においては、単純導光板方式バックライトユニットにおける構成、すなわち導光板２０１の下側の周囲に出っ張りを設けた構成にすると、ランプホルダ２０４を介してモールドフレーム２０５内に収納されたＦＬ管２０２から発射する光を直接またはランプリフレクタ２０３で反射して導光板２０１に向けると導光板２０１に出っ張りがあるのでＦＬ管２０２から発射した光が乱反射等をし、このためＬＣＤモジュール２３０による表示に輝度ムラが発生してしまう。
【０００７】
したがって、固定方法は導光板２０１に上記出っ張りをなくして両面テープにてランプホルダ２０４と導光板２０１とを貼り付ける手立てしか現状対策がない。このプリズム導光板方式のバックライトユニット２００は導光板２０１の製造条件等のバラツキにより導光板２０１の固定が不十分な場合、上記両面テープによる固定が不十分となり、衝撃等により両面テープで固定している部分が剥がれて導光板２０１が脱落し、導光板２０１に隣接した位置にあるＦＬ管２０２が割れてしまうという障害が発生する虞がある。
【０００８】
特許文献１に記載のバックライトを有する液晶表示装置は、安価で面内輝度分布の均一な導光板を有する液晶表示装置（ＬＣＤ）の提供を目的とし、ＬＣＤモジュールの下面に配置された導光板と該導光板の一つの側面近傍に該側面に沿って配置されたＦＬ管とをケース内に収納したバックライトを備え、導光板の表面が略四角形状をしており、導光板のＦＬ管側の１辺に接してまたは該１辺の近傍に設けた少なくとも１個のストッパにより、導光板のＦＬ管側への移動を阻止し、かつ導光板の残りの３辺を、導光板の形状に沿って形成したケースの内壁により保持したことを特徴とする。
【０００９】
【特許文献１】特開平７−２６１１７３号公報（明細書における段落［０００９］〜［００１７］、図面における［図１］、［図２］および要約書）
【発明の開示】
【発明が解決しようとする課題】
【００１０】
しかしながら、特許文献１に記載のバックライトを有する液晶表示装置は、ケースを一体形成したモールドケースにストッパを設けたものであり、衝撃等により導光板が脱落した場合、導光板は数百グラムの重量があるので、導光板に面するストッパの面積が小さく、かつモールドケースがプラスチック射出成形機により製造されたプラスチック成形品であるので、プラスチック製のストッパは衝撃にもろく導光板がストッパに衝突すると導光板はストッパを破損して飛び越え蛍光管を破損するという問題が生じる。
【課題を解決するための手段】
【００１１】
それゆえ、本発明はモールドケースとしてプラスチック成形品を用いるとともに衝撃等の理由で導光板が脱落しても蛍光管を破損することのない液晶表示装置のバックライトユニットを提供することを目的とする。
【００１２】
上記目的を達成する本発明による液晶表示装置のバックライトユニットは、液晶表示モジュールの下方に配設されたバックライトユニットであって、前記液晶表示モジュールへ入射する光の光源である蛍光管と、該蛍光管を収納するランプリフレクタと、該蛍光管から発生した線状の光と該光が前記ランプリフレクタで反射した光とを面状の光に変換して前記液晶表示モジュールへ入射させる表面が略四角形の導光板と、を収納するケースを備え、
前記ランプリフレクタは、金属からなり、前記蛍光管に対向する前記導光板の側面の両端部に面する第１部分に、該第１部分を除く該導光板の側面に面する第２部分より、該導光板に接近した位置にストッパが設けられている、ことを特徴とする。
【００１３】
前記液晶表示装置のバックライトユニットにおいて、前記ランプリフレクタは、前記蛍光管の両端を把持する部分に前記ストッパが設けられている。
前記液晶表示装置のバックライトユニットにおいて、前記導光板は、前記ケースとの間に接着剤を付さずに該ケースに固定される。
【発明の効果】
【００１４】
本発明によれば、衝撃等の理由で導光板が脱落しても蛍光管を破損することのない液晶表示装置のバックライトユニットを提供することができる。
【発明を実施するための最良の形態】
【００１５】
以下、添付図面を参照しつつ本発明の実施形態を詳細に説明する。
図３は本発明によるプリズム導光板方式バックライトユニットを組込んだノート型パーソナルコンピュータの外観を示す斜視図である。図３に示す本発明によるパーソナルコンピュータ（ＰＣ）本体５０において、入力装置としてキーボード１１とキーボード１１の手前操作者側に配置されたグライドポイント１２とグライドポイント１２のさらに手前の操作者側に配置されたボタン１３とが設けられている。出力装置としては液晶表示装置（ＬＣＤ）３０が設けられ、また不図示のプリンタがＰＣ本体５０に外部接続される構成となっている。グライドポイント１２はＬＣＤ３０の表示画面上を移動するマウスカーソルの移動操作を行うための入力装置であり、ボタン１３はマウスカーソルをクリック操作するための入力装置である。ＬＣＤ３０の後方、ＬＣＤ表示面と反対側の面側にはバックライトユニット１０が配置されている。
【００１６】
図４は本発明によるプリズム導光板方式バックライトユニットの斜視図である。図４に示すバックライトユニット１０は、プリズム機能を有する導光板１、ＦＬ管２、ランプリフレクタ３、ランプホルダ４、モールドフレーム５およびプリズムシート６と拡散シート７からなる光学シート２０を有する。ＦＬ管２はランプリフレクタ３内に収納されＬＣＤ３０へ入射する線状の光の光源である。
【００１７】
導光板１はＦＬ管２から発生した線状の光と光の反射板であるランプリフレクタ３で反射した光とを面状の光に変換してＬＣＤ３０へ入射させる表面が略四角形であって、そのＦＬ管２に直交する断面において光学シート３０に垂直な方向に切断する線分がＦＬ管２から遠ざかるにつれて短くなっている透明なアクリル板である。
【００１８】
ランプホルダ４は導光板１およびランプリフレクタ３を収納するケースであり、モールドフレーム５に収納される。ランプリフレクタ３とランプホルダ４およびランプホルダ４とモールドフレーム５とは嵌め合いで固定される。ＦＬ管２から発射した光は、直接またはランプリフレクタ３で反射して導光板１に向かい、光学シート２０を介してＬＣＤ３０の表示画面の反対側の面を照射する。
【００１９】
図５は図４に示すランプリフレクタ３と導光板１との間の配置を示すバックライトユニット１０の部分平面図であり、図６は図５に示すランプリフレクタ３の一方の端部の拡大斜視図であり、図７はランプリフレクタ３を導光板１の軸方向に対し略垂直方向に切断した断面図であり、（Ａ）は図５に示す第１部分３１の位置の断面図であり、（Ｂ）は図５に示す第２部分３２の位置での断面図である。
【００２０】
図５、６、７に示すようにバックライトユニット１０のモールドフレーム５内には導光板１とランプリフレクタ３がランプホルダ４を介して収納され、ランプリフレクタ３にはＦＬ管２が収納されている。ランプリフレクタ３は、金属からなり、ＦＬ管２に対向する導光板１の側面の両端部に面する第１部分３１に、第１部分３１を除く導光板１の側面に面する第２部分３２より導光板１に接近した位置にストッパ３５（図６に斜線で示す部分）が設けられている。従来技術によるランプリフレクタは、第１部分および第２部分ともに連続して断面がコの字の形状になっていたが、本発明の実施例によるランプリフレクタ３は、その第２部分３２は断面がコの字の形状になっているが、その第１部分３１はストッパ３５が設けられ、ストッパ３５により衝撃等による導光板１のＦＬ管２への脱落を防止している。
【００２１】
ランプリフレクタ３には、ＦＬ管２の両端を把持する部分にストッパ３５が設けられている。ＦＬ管２はランプリフレクタ３内の両端に取付けられたゴムホルダ３６で固定される。ゴムホルダ３６の一端にはゴムブッシュ３７で被覆された低圧ケーブル３８の一端が接続され、ゴムホルダ３６の他端にはゴムブッシュ３７で被覆された高圧ケーブル３９の一端が接続される。低圧ケーブル３８および高圧ケーブル３９の他端はＦＬ管２の電源に接続されるコネクタ４０に接続されている。
【００２２】
また、導光板１はケースであるランプホルダ４を介してモールドフレーム５の内壁に僅かな間隙をもって収納されるのであれば、ストッパ３５により衝撃等による導光板１のＦＬ管２への脱落が防止されるので、モールドフレーム５に収納されるランプホルダ４の表面との間に接着剤を付さずに固定してもよい。
【図面の簡単な説明】
【００２３】
【図１】従来技術による単純導光板方式バックライトユニットの斜視図である。
【図２】従来技術によるプリズム導光板方式バックライトユニットの斜視図である。
【図３】本発明によるプリズム導光板方式バックライトユニットを組込んだノート型パーソナルコンピュータの外観斜視図である。
【図４】本発明によるプリズム導光板方式バックライトユニットの斜視図である。
【図５】図４に示すランプリフレクタと導光板との間の配置を示すバックライトユニットの部分平面図である。
【図６】図５に示すランプリフレクタの一方の端部の拡大斜視図である。
【図７】ランプリフレクタを導光板の軸方向に対し略垂直方向に切断した断面図であり、（Ａ）は図５に示す第１部分の位置の断面図であり、（Ｂ）は図５に示す第２部分の位置での断面図である。
【符号の説明】
【００２４】
１    導光板
２    蛍光（ＦＬ）管
３    ランプリフレクタ
４    ランプホルダ
５    モールドフレーム
２０    光学シート
３０    液晶表示装置（ＬＣＤ）
【図１】
2006276685.tif 000003
【図２】
2006276685.tif 000004
【図３】
2006276685.tif 000005
【図４】
2006276685.tif 000006
【図５】
2006276685.tif 000007
【図６】
2006276685.tif 000008
【図７】
2006276685.tif 000009